(57)【要約】上面および下面を有する収納ケースを備えた圧迫防止下敷きパッド（１０）であって、収納ケースは、複数の区分け軸（１３）に沿って区分けされて、下敷き区分（１２）を形成し、下敷き区分は、複数の成形体からなる成形充填物が充填され、区分け軸に沿って走る区分け線によって境界が形成されており、区分け線（１１）は、区分け軸（１３）に沿って、方向が複数回変化し、そして、収納ケースの少なくとも上面（１６）は、少なくとも支持部分において弾力性があり、成形体充填物（２０）によって加圧されている。【選択図】図１
2009505758.tif 000002
【特許請求の範囲】
【請求項１】
上面および下面を有する収納ケースを備えた圧迫防止下敷きパッドであって、前記収納ケースは、複数の区分け軸に沿って区分けされて、下敷き区分を形成し、前記下敷き区分は、複数の成形体からなる成形充填物が充填され、区分け軸に沿って走る区分け線によって境界が形成されており、
前記区分け線（１１）は、前記区分け軸（１３）に沿って、方向が複数回変化し、そして、収納ケースの少なくとも上面（１６）は、少なくとも支持部分において弾力性があり、成形体充填物（２０）によって加圧されていることを特徴とする圧迫防止下敷きパッド。
【請求項２】
前記区分け線（１１）は、前記収納ケース（１８）の表面にわたって、等距離で配置されていることを特徴とする、請求項１に記載の圧迫防止下敷きパッド。
【請求項３】
前記区分け線（１１）は、蛇行形状であることを特徴とする、請求項１または２に記載の圧迫防止下敷きパッド。
【請求項４】
前記区分け線（１１）は、正弦曲線形状であることを特徴とする、請求項１から３の何れか１項に記載の圧迫防止下敷きパッド。
【請求項５】
前記成形充填物（２０）の成形体（２１）は、球状の粒子状物から形成されていることを特徴とする、請求項１から４の何れか１項に記載の圧迫防止下敷きパッド。
【請求項６】
前記成形体（２１）は、弾力性で回復力があるように設計されていることを特徴とする、請求項１から５の何れか１項に記載の圧迫防止下敷きパッド。
【請求項７】
前記成形体（２１）は、発泡スチロールで形成されていることを特徴とする、請求項１から５の何れか１項に記載の圧迫防止下敷きパッド。
【請求項８】
前記区分け線（１１）は、前記収納ケースの上面（１６）と前記収納ケースの下面（１７）の線形接触部によって形成され、前記接触部は相互に依存していることを特徴とする、請求項１から７の何れか１項に記載の圧迫防止下敷きパッド。
【請求項９】
下敷き区分（１２）は接続ブリッジ（２８）を備えており、前記接続ブリッジは、区分け線（１１）から所定距離に設けられ、前記収納ケースの上面（１６）と、前記収納ケースの下面（１７）の接触部によって形成されており、前記接触部は相互に依存していることを特徴とする、請求項１から８の何れか１項に記載の圧迫防止下敷きパッド。
【請求項１０】
前記収納ケース（１８）は、少なくともケースの上面（１６）において、収納ケースの周辺部に取り付けられ、ゆったりとした状態で、ケースの上面と重なり合う部分において、ケースの上面よりも大きな表面積を有しているシート状のカバー（４６）を備えていることを特徴とする請求項１から９の何れか１項に記載の圧迫防止下敷きパッド。
【請求項１１】
請求項１から１０の何れか１項に記載された圧迫防止下敷きパッドを備えたベッドパッド構造であって、支持層（３０）と圧迫防止下敷きパッドとの間に配置された中間層（３１）を備えており、前記中間層は、中間層と連携して通気空洞部（４２）を形成する支持層の構造表面（３９）に配置され、圧迫防止下敷きパッドに面する上面（４３）と支持層の構造表面に面する下面（５０）との間に通気開口部（４１）を有しているベッドパッド構造。
【請求項１２】
前記支持層（３０）は、発泡材料で形成されていることを特徴とする、請求項１１に記載のベッドパッド構造。
【請求項１３】
前記中間層（３１）は、その中に形成された貫通孔を備えた発泡材料から形成されていることを特徴とする請求項１１に記載のベッドパッド構造。
【請求項１４】
前記支持層（３０）およびその上に形成される前記中間層（３１）は、複合層構造として配置され、複合層構造は、中間層の長軸側および横軸側に配置された枠部（３３、３４、３５、３６）を備えており、前記枠部は中間層（３１）と連携して、圧迫防止下敷きパッド（１０）を収納する収納空間部を形成していることを特徴とする請求項１１から１３の何れか１項に記載のベッドパッド構造。
【請求項１５】
少なくとも２つの対向する枠部（３５、３６）は発泡材で形成されていることを特徴とする請求項１４に記載のベッドパッド構造。
【請求項１６】
少なくとも２つの対向する枠部（３３、３４）は、相互に結合された支持構造を有していることを特徴とする請求項１４または１５に記載のベッドパッド構造。
【発明の詳細な説明】
【技術分野】
【０００１】
この発明は、上面および下面を有する収納ケースを備えた圧迫防止下敷きパッドに関し、収納ケースは、複数の区分け軸に沿って区分けされて、下敷き区分を形成すし、下敷き区分は、複数の成形体からなる成形充填物が充填され、区分け軸に沿って走る区分け線によって境界が形成されており、区分け線は、区分け軸に沿って、方向が複数回変化し、そして、収納ケースの少なくとも上面は、少なくとも支持部分において弾力性があり、成形体充填物によって加圧されている。更に、この発明は、上述したような圧迫防止下敷きパッドを備えたベッドパッド構造に関する。
【背景技術】
【０００２】
このような圧迫防止下敷きパッドは、長期間寝たきりの患者を支援するために使用されて、床ずれの進行を和らげる。欧州特許ＥＰ０４１２５６３Ｂ１に圧迫防止下敷きパッドが開示されている。
【発明の開示】
【発明が解決しようとする課題】
【０００３】
開示された従来の圧迫防止下敷きパッドは、個別に取り扱われる部材からなっており、例えば、部材の端部に設けられたボタンのような結合部材によって結合される。個々の部材を繋ぎ合わせる部分があるゆえに、好ましくない床ずれを促進し易く、不連続なつなぎ部分が形成される。
【０００４】
この発明の目的は、寝たきり患者を、支持する表面全体にわたって均一に支持することができる圧迫防止下敷きパッドを提供することにある。
【課題を解決するための手段】
【０００５】
上述した従来の問題を解決するために、この発明の圧迫防止下敷きパッドは、請求項１の特徴を備えており、ベッドパッド構造は、請求項１１の特徴を備えている。
【０００６】
この発明の圧迫防止下敷きパッドは、区分け軸に沿って、方向が複数回変化する区分け線を備えている。更に、この発明の圧迫防止下敷きパッドでは、収納ケースの上面は、少なくとも支持部分において弾力性があり、成形体充填物によって加圧されている。
【０００７】
区分け線の方向が複数回変化することによって、下敷き区分の隣接部が舌形状に突出した部分とへこむように形成された窪み部分が互いに噛み合うように形成されている。これによって、圧迫防止下敷きパッドの面における２つの軸で寝たきり患者が位置を変更すると、隣接する下敷き区分の部分が相互に上方にシフトされる。その結果、どのような場合にも、圧迫防止下敷きパッドのクッション効果が、区分け軸および／または区分け線の部分においても得られる。成形体充填物の成形体は、弾力性のある収納ケースの上面と連携して、特に、重なり合った下敷き区分の部分においても回復効果を生じる。従って、先ず、パッドにおける沈み込みの進行が防止され、同時に、患者の各部位が安定して支持される。
【０００８】
この発明の圧迫防止下敷きパッドの好ましい態様においては、収納ケースの表面全体にわたって、均一な変形挙動が得られるように、区分け線が等間隔で配置されている。特に、患者を支持するのに好ましい部分によっては、ある部分においては、区分け線は、他の部分よりも密度が高く配置されている。
【０００９】
区分け線は、好ましくは蛇行パターンからなっており、患者が圧迫防止下敷きパッドの面において、どの方向にシフトしても、下敷き区分の重なり合う部分の形成が可能である。区分け線が正弦曲線のときには、区分け軸に沿って、重なり合い効果が得られる。
【００１０】
上述した圧迫防止下敷きパッドの好ましい回復効果は、特に、成形体充填物の成形体が球状の粒子状物から形成されていることによる。球状の粒子状物の形状によって、粒状物が相互に妨害することなく、滑りを容易にする。特に、円滑な表面が特に効果的である。
【００１１】
成形体が弾力性があり回復可能であるように設計されると、パッド上に横たわるときの快適性を増進する。
【００１２】
成形体が発泡スチロールで形成されていると、弾力性があり回復力がある有利な特性が、球状の設計、粒子状物の円滑な表面と効果的に組み合わされる。
【００１３】
収納ケースの上面と収納ケースの下面との線状の接触部によって区分け線が形成されると、接触部が相互に依存して、特に効果的であることが実証されている。このようにすると、接触部分の大きさが最小化されるからである。下敷き区分内でのクッション効果を支持するためには、下敷き区分が接続ブリッジを備えていると特に有利である。接続ブリッジは、区分け線から所定の距離に設けられて、収納ケースの上面と収納ケースの下面との接触部分によって形成され、接触部が相互に依存している。
【００１４】
上述した床ずれを抑制する、圧迫防止下敷きパッドの効果は、更に、収納ケースによって一層向上する。収納ケースは、少なくともケースの上面において、収納ケースの周辺部に取り付けられ、ゆったりとした状態で、ケースの上面と重なり合う部分において、ケースの上面よりも大きな表面積を有しているシート状のカバーを備えている。患者を圧迫防止下敷きパッドの面で動かすと、このカバーが、圧力の加わりやすい患者の細胞組織または皮膚の外面にせん断力が生じるのを抑制する。大きな表面積によって、引張応力を生じることなく、カバーの隣接部分に対して所定の部分がシフトすることができるからである。褥創は圧力だけでなく、細胞組織のせん断応力によっても形成されることを考慮に入れている。
【００１５】
圧迫防止下敷きパッドが、支持層と圧迫防止下敷きパッドとの間に配置された中間層を備えたベッドパッド構造に統合されると、より一層効果的である。中間層は、中間層と連携して通気空洞部を形成する支持層の構造表面に配置され、圧迫防止下敷きパッドに面する上面と支持層の構造表面に面する下面との間に通気開口部を有している。
【００１６】
この発明のベッドパッド構造によって、圧迫防止下敷きパッドと、圧迫防止下敷きパッドの効果的な通気を可能にする支持とを効果的に組み合わせることができる。
【００１７】
支持層が発泡材料で形成されていると、支持層が所望のクッション効果を促進するので、特に有利である。
【００１８】
貫通孔を備えた発泡材料で中間層を形成すると、通気効果を阻害することなく、クッション効果を向上させることができる。
【００１９】
支持層およびその上に形成される中間層が、複合層構造として配置され、複合層構造が、中間層の長軸側および横軸側に配置された枠部を備えており、枠部が中間層と連携して、圧迫防止下敷きパッドを収納する収納空間部を形成していると、ベッドパッド構造の使用が容易である。
【００２０】
少なくとも２つの対向する枠部が発泡材で形成されていると、複合層構造を固定しながら、クッション効果が一層向上する。
【００２１】
少なくとも２つの対向する枠部が、相互に結合された支持構造を有していると、圧迫防止下敷きパッドの効果的な通気が可能である。
【００２２】
圧迫防止下敷きパッドおよびベッドパッド構造の好ましい実施態様を、図面を参照しながら詳細に説明する。
【図面の簡単な説明】
【００２３】
【図１】図１は、第１の態様の圧迫防止下敷きパッドの平面図である。
【図２】図２は、図１に示す圧迫防止下敷きパッドのII-II線における断面を示す図である。
【図３】図３は、形状挙動を説明するために、図２に示す部分の拡大図である。
【図４】図４は、第２の態様の圧迫防止下敷きパッドの平面図である。
【図５】図５は、図４に示す圧迫防止下敷きパッドのＶ-Ｖ線における断面を示す図である。
【図６】図６は、圧迫防止下敷きパッドを備えたベッドパッド構造を示す断面図である。
【図７】図７は、ベッドパッド構造を示す斜視図である。
【符号の説明】
【００２４】
１０、２７：圧迫防止下敷きパッド
１１：区分け線
１２、５４：下敷き区分
１３：区分け軸
１４：端部
１５：端部
１６：収納ケースの上面
１７：収納ケースの下面
１８：収納ケース
１９：中心面
２０：成形体充填物
２１：成形体
２８：接続ブリッジ
２９：ベッドパッド構造
３０：支持層
３１：中間層
３３、３４、３５、３６：枠部
３７：ベッド枠
４１：通気空洞部
４６：カバー
【発明を実施するための最良の形態】
【００２５】
図１は、収納用ケースを備えた圧迫防止用の下敷きパッド１０を示す。収納用ケースは、区分け線１１によって、図では３つだけ示しているが、複数の下敷き区分１２に分割されている。
【００２６】
下敷き区分１２の側方の境界を示す区分け線１１は、区分け軸１３に沿って走っており、この態様では、圧迫防止用の下敷きパッド１０の横方向の端部１４、１５と平行になるように配置されている。区分け線１１は、等間隔ｄで正弦曲線を示している。
【００２７】
図１および図２に示すように、下敷き区分１２は、断面で示すように、両側面が凸形状を有しているので、区分け線１１は、ケース１６の上面およびケース１７の下面の間の区分け線に沿って形成される線形接触部によって形成されている。例えば、区分け線１１は、それに沿って走るシーム（継ぎ目）によって形成してもよい。
【００２８】
同様に、図２に示すように、区分け線１１は、基本的に、収納ケース１８の共通の中心面１９に設けられる。個々の下敷き区分１２には、弾性力のある回復可能な成形体２１の充填物２０が充填される。充填物は、例示的に示されるこの態様では、球形の発泡スチロール（ＥＰＳ）からなっている。成形体充填物２０を用いることによって、下敷き区分１２は、断面が上述した両面凸部の形状になり、下敷き区分１２は、充填の程度によって、図２に示すレンズ形状から概ね円形状までの形状をとることができる。
【００２９】
負荷矢印２２、２３は、下敷き区分１２の変形挙動を描写するために示されたものである。図１および図３に負荷矢印２２、２３で示すように、蛇行によって方向を変えるように設定された区分け線１１は、負荷が何れの方向から加わっても、圧迫防止下敷きパッド１０に生じる変形が、常に、横方向成分５２および縦方向成分５３として形成されるように、設定されているので、下敷き区分１２に加わった変形が、対応して横方向・縦方向に相互にシフトする。図３に示すように、圧迫防止下敷きパッド１０の水平面または中央面１９に直交して走る区分では、加わる負荷２３が水平成分２４および垂直成分２５に区分されて、負荷２３が加わって下敷き区分１２が変形して、蛇行形状の区分け線１１によって、隣接する下敷き区分１２間に重ね合わせ領域２６が形成される。ケースの上面１６がケースの下面１７に向かって突き進むことは、負荷が区分け線１１上の点に直交するように加われば効果的に防止することができる。これは、区分け線１１の方向が常に変化しているので、図３に示すように、隣接部分には常に区分け線１１から距離ａの地点で力が加わっていることによる。距離ａは、図３に示すように、重ね合わせ領域２６が対応して形成されることによる結果である。ケースの上面１６が弾力性があるので、負荷２３がなくなると、重ね合わせ領域２６が自動的に元の状態に回復して、本来の外形に戻る。ケースの下面を弾力性があるように設定すると、上述した回復効果をより大きくすることができる。
【００３０】
図４および図５に示す圧迫防止下敷きパッド２７の態様では、下敷き区分５４が設けられ、そこでは、概ね区分け軸１３に沿った点として設定された接触ブリッジ２８が設けられている。そこには、ケースの上面１６とケースの下面１７との間に、対応する点形状の接続領域が形成されている。接続ブリッジ２８によって、弾性成形体２１が充填される下敷き区分１２の容積が少なくなる。その結果、図３を参照して説明した弾性変形特性が、相対的に少ない量の成形体２１を下敷き区分１２に充填することによって得ることができる。更に、接触ブリッジ２８によって、下敷き区分５４内の成形体２１の移動を妨げ、その結果、パッド内に窪みが生じるのを防止する。
【００３１】
図６および図７は、図１および図２に示す圧迫防止下敷きパッド１０を使用したベッドパッド構造２９を示す。圧迫防止下敷きパッド１０の他に、ベッドパッド構造２９は、支持層３０を備え、その上に、中間層３１を介して圧迫防止下敷きパッド１０が配置される。ベッドパッド構造２９は、中間層３１に結合されて支持枠３２を形成する横枠部３３、３４および縦枠部３５、３６を備えている。この態様では、縦枠部３５、３６は、発泡体部材からなっており、中間層３１の縦方向に配置されている。横枠部材３３、３４は、この態様では、成形体部材からなっており、三次元網状構造を備えて、中間層３１の横方向に配置されている。支持枠３２は、特に図６に示すように、ベッド枠３７上に配置されている。ベッド枠３７と中間層３１の間には、支持をする支持層３０があり、その上面３８には、ピラミッド形状の弾力性の回復可能な支持突起部４０を備えた構造の表面３９が設けられている。発泡体部材で形成されている中間層３１は、貫通孔として設定された通気用開口部４１を有しており、中間層３１の底面５０と支持層３０の表面３９との間に形成された通気空洞部４２と、圧迫防止下敷きパッド１０のケースの下面１７との間の空気交換が可能である。上述した、空間を空けて相互に結合された成形構造部材である横枠部材３３、３４によって、通気空洞部４２と、ケースの底面１７と中間層３１の上面４３との間に形成される下部通気空間４４との間、および、ベッドパッド構造２９の周りの室内空気との間の空気交換が可能である。
【００３２】
図６は、中間層３１、中間層３１を枠どる横枠部材３３、３４および縦枠部材３５、３６によって形成される収納空間内に配置された圧迫防止下敷きパッド１０を示す。圧迫防止下敷きパッド１０の収納ケース１８の上面１６は、シート状に設計され、周辺端部４７における支持枠３２の上端部４８に固定されているカバー４６によって覆われている。ケースの上面１６と重なり合う領域において、カバー４６は、ケースの上面１６の表面積より大きい寸法のカバー部分５１を備えている。これによって、カバー部分５１の材料に大きな引張応力をもたらすことなく、カバー部分５１の負荷がかかる部分が、ケースの上面１６と平行に移動することができる。
【図１】
2009505758.tif 000003
【図２】
2009505758.tif 000004
【図３】
2009505758.tif 000005
【図４】
2009505758.tif 000006
【図５】
2009505758.tif 000007
【図６】
2009505758.tif 000008
【図７】
2009505758.tif 000009
【国際調査報告】
2009505758.tif 000010
2009505758.tif 000011
2009505758.tif 000012
2009505758.tif 000013